(57)【要約】      （修正有）【課題】食事などの際の膝掛けや前掛けとなり、三角状に折って襟巻きにしたり、座布団その他として応用できる多機能布を提供する。【解決手段】多機能布１は、広げると腿上から膝を覆う大きさを有する方形布体２を設け、その四隅部に互いに結着できる結着手段３を設け、一つで膝掛けや前掛け、襟巻き、帽子及び座布団にも変化させて使用出来、また、前記方形布体が、シェニール織で織成されたもので、５２ｃｍ×５２ｃｍの面積を有するものであるときは、織自身がしっかりしており、５２ｃｍ×５２ｃｍの面積は膝掛けや前掛けや襟巻きや座布団等としても充分にカバーでき、さらに前記結着手段が、雌雄両性のベルベット式ファスナーであるときはどの隅角部同士を重ねても互いに結着できる。【選択図】図１
0003136930.tif 000002
【実用新案登録請求の範囲】
【請求項１】
広げると腿上から膝を覆う大きさを有する方形布体を設け、その四隅部に互いに結着できる結着手段を設けたことを特徴とする多機能布。
【請求項２】
前記方形布体が、シェニール織で織成されたもので、５２ｃｍ×５２ｃｍの面積を有するものであることを特徴とする請求項１に記載の多機能布。
【請求項３】
前記結着手段が、雄・雌両性のベルベット式ファスナーであることを特徴とする請求項１又は２に記載の多機能布。
【考案の詳細な説明】
【技術分野】
【０００１】
本考案は、一つで膝掛けや前掛け、襟巻き、帽子及び座布団にも変化させて使用出来るようにした多機能布に関するものである。
【背景技術】
【０００２】
一般に、和服を召している人に限らず、多く人（特に女性）は、食事などに際し、食べ物や飲み物の一部をこぼしたことを考慮して、ハンカチを広げて腿上から膝を覆い、万が一にも和服や洋服などの衣類を汚れから護ろうとする仕種が見られる。この仕種は和服や洋服などの衣類を大切にしているという好印象を与えていることは確かである。
【考案の開示】
【考案が解決しようとする課題】
【０００３】
しかしながら、通常のハンカチは充分な大きさがないばかりでなく、布地自体が薄く、したがって、万が一の時に膝掛けとして必要な機能が得られなかった。また、ハンカチは小さすぎて一辺を首の前から後ろに回しても両隅を結すぶ余裕がなく前掛け（エプロン）襟巻きとして使用したり、座布団の代用としても使用出来難かった。
【０００４】
本考案は、上記の点に鑑み案出したもので、その目的とするところは、食事などの際の膝掛けや前掛けとなり、三角状に折って襟巻きにしたり、座布団その他として応用できる多機能布を提供することにある。
【課題を解決するための手段】
【０００５】
上記目的を達成するため、本考案に係る多機能布は、広げると腿上から膝を覆う大きさを有する方形布体を設け、その四隅部に互いに結着できる結着手段を設けたことを特徴とし、一つで膝掛けや前掛け、襟巻き、帽子及び座布団にも変化させて使用出来るように構成した。
【０００６】
また、請求項２に記載の多機能布は、前記方形布体が、シェニール織で織成されたもので、５２ｃｍ×５２ｃｍの面積を有するものであることを特徴とし、シェニール織自身は縦糸、横糸が太く織目はしっかりしており、しかも、５２ｃｍ×５２ｃｍの面積は膝掛けや前掛けや襟巻きや座布団等としても充分にカバーできるように構成した。
【０００７】
さらに、請求項３に記載の多機能布は、前記結着手段が、雌雄両性のベルベット式ファスナーであることを特徴とし、どの隅角部同士を重ねても互いに結着できるように構成した。
【考案の効果】
【０００８】
本考案によれば、広げると腿上から膝を充分に覆い、食事などの際の膝掛けになり、一辺を首の前から後ろに回し、両隅を結着させると前掛け（エプロン）になり、三角状に折り、その折縁を首の後ろから前に巻き、折縁の両端を胸上で結着させると襟巻きになり、広げて敷くと座布団になり、四角に数回折畳み最後に隅同士を結着するとポーチ状の携帯物として多機能化できるという優れた効果を奏するものである。
【０００９】
また、請求項２に記載の考案によれば、シェニール織の織目のしっかりさ、優雅さに加え、５２ｃｍ×５２ｃｍの面積を持ち、膝掛け、前掛け（エプロン）、肩掛けないし襟巻き（ショール）、帽子及び座布団として使用するに充分な大きさが得られるという優れた効果を奏するものである。
【００１０】
さらに、請求項３に記載の考案によれば、膝掛けや前掛けや襟巻き等として使用するに際し、どの隅角部同士を重ねても互いに確実に結着させることができるという優れた効果を奏するものである。
【考案を実施するための最良の形態】
【００１１】
次に、本考案の実施の最良の態様を図面に基いて説明する。図１は本願多機能布を拡げた状態の斜視図、図２は対向する結着手段を略示的に示す拡大断面図、図３は携帯し易い大きさに折る手順と携帯袋に収容した状態を示す斜視図、図４は膝掛けとしての使用時の斜視図、図５は前掛けとしての使用時の斜視図、図６は襟巻きとしての使用時の斜視図、図７は帽子としての使用時の斜視図である。
【００１２】
本願多機能布１は、広げると腿上から膝を覆う大きさを有する方形布体２を設け、その方形布体２の四隅部に互いに結着できる結着手段３を設けてなる。前記方形布体２は、織物自体には、特に、限定されないが、シェニール織の柄織物を使用して満足できる。シェニール織はカーペットの織り方の一つとして長い歴史があり、製織すべき紋様に従って種々の色糸を横糸に用いてシェニールを織り、これを横糸として経糸間に打込み、織目からシェニールの一部を立て、端部をカットしてなるもので、一定の厚さと手触りの良さと優雅さを備えた柄織物（花柄、縞柄他）である。このシェニール織の柄織物からなる本願多機能布１は、洗濯を重ねても型崩れも色落ちもないものであることは出願人をして確認している。
【００１３】
前記方形布体２は、シェニール織物を方形（真四角に限らない）に裁断し、飾り布４で周囲を縫製したもので、実施例では５２ｃｍ×５２ｃｍの面積を有している。この面積は膝掛け、前掛け（エプロン）、肩掛け乃至襟巻き（ショール）、帽子及び座布団として多機能に使用することができ、かつ、折畳むとバッグに仕舞って携帯し易い大きさになる点で好ましい。
【００１４】
前記結着手段３は、方形布体２の四隅部にそれぞれ雌雄のホックあるいは雌形ベルベット式ファスナー（ループを密に配したもの）と雄形ベルベット式ファスナー（鉤を密に配したもの）とを隣接してダブルで取付けておくことがよいが、好ましくは、図２の如く、雌雄両性（ループと鉤を混合して配した）のベルベット式ファスナーを用いるとよい。この両性ベルベット式ファスナーは、どの隅角部同士でも結着できる。特に、雄形ベルベット式ファスナーの如く鉤を密に配したものに比し、表面がソフトであるため、これに触れる他の生地を痛めることがない。両性ベルベット式ファスナーは、方形布体２の四隅部に接着剤により接着するか、縫製により取付ける方法がある。勿論、これら以外の取付方法があればそれによることもある。
【００１５】
前記本願多機能布１は、通常では、図３（ａ）の如く、広げた状態から三つ折して細長物Ａを作り、次いで、同図（ｂ）の如く、細長物Ａの両端Ｂ、Ｂ′を二点鎖線Ｃ、Ｃ′の位置から矢印のように裏側に折って長さ方向の中心部（一点鎖線）Ｄにおいて突合わせ、その突合わされた両端Ｂ、Ｂ′を谷にして二つ折すると、２つの接着手段３、３が互いに向き合い、結着により携帯し易い大きさの折畳物Ｅとなる。この折畳物Ｅを同図（ｃ）の如く、予め、用意した携帯袋５に収容し、口紐６を引いて窄めると体裁良く持ち運べるようになる。この携帯袋５はハンドバッグ（図示せず）の中に収納して持ち歩くことも可能である。
【００１６】
次に、本願多機能布１の使用法について説明する。まず、レストランのような場所にて膝掛けとして使用するに際し、ハンドバッグから取り出した携帯袋５の口を開け、本願多機能布１を引き出して広げ、図４の如く、腿Ｍの上から膝Ｍ′を覆うように掛ければ、万が一にも和服や洋服などの衣類を汚れから護ることができる。この場合、方形布体２がシェニール織の柄織物を使用しているときは、腿上から膝までの和服や洋服などの衣類と良くのフィットし、滑り落ちることもなく使い心地がよい。
【００１７】
次いで、本願多機能布１を、前掛け（エプロン）として使用するときは、方形布体２の一辺２′の両隅を摘まみ、図５の如く、首Ｋの前から後ろに回し、両隅の２つの接着手段３、３を首の後ろで互いに結着（結着状態は図示していない）させる。これにより胸前が綺麗にカバーでき、前掛けとして使用することができる。この場合、方形布体２がシェニール織の織物を使用しているときは、胸元を綺麗にして優雅に飾ることができる。また、上着（外套を含む）の襟元の装飾布としても使用できる。
【００１８】
また、本願多機能布１を、襟巻き（乃至肩掛け）として使用するときは、方形布体２を三角状に折り、その折縁２″を、図６の如く、首Ｋの後ろから前に巻き付け、折縁２″の両隅の２つの接着手段３、３を首Ｋの前で互いに結着させる。これにより襟巻き（乃至肩掛け）として使用できる。この場合、方形布体２がシェニール織の織物を使用しているときは、襟元をより暖かくする。
【００１９】
さらに、本願多機能布１を、帽子として使用するときは、方形布体２をの対向する隅角部を結着して扁平にして舟形を作り、更に、舟形を幅方向に折って、その長さ方向の両端を結着すると、帽子となり、図７の如く、被ることができる。これにより太陽の日差しを避けたり、急な雨に対処する帽子となる。図示していないが、方形布体２を三角状に折って頭から被り、顎下で結着させたり、後頭部下で結着させるて被りものとして使用することも可能である。なお、方形布体２がシェニール織の織物を使用しているときは、膝掛けと同様に方形布体２を床などの上に広げて敷くと座布団としても使用できることはいうまでもない。
【産業上の利用可能性】
【００２０】
本願多機能布は、一つで膝掛けや前掛けや襟巻きや帽子及び座布団にも変化させて使用出来、多くの者に広く利用できるため、産業上の利用性が高いものである。
【図面の簡単な説明】
【００２１】
【図１】本願多機能布を拡げた状態の斜視図である。
【図２】対向する結着手段を略示的に示す拡大断面図である。
【図３】携帯大に折る手順と携帯袋に収容した状態を示す斜視図である。
【図４】膝掛けとしての使用時の斜視図である。
【図５】前掛け（エプロン）としての使用時の斜視図である。
【図６】襟巻きとしての使用時の斜視図である。
【図７】帽子としての使用時の斜視図である。
【符号の説明】
【００２２】
１  本願多機能布
２  方形布体
３  結着手段
４  飾り布
５  携帯袋
６  口紐
【図１】
0003136930.tif 000003
【図２】
0003136930.tif 000004
【図３】
0003136930.tif 000005
【図４】
0003136930.tif 000006
【図５】
0003136930.tif 000007
【図６】
0003136930.tif 000008
【図７】
0003136930.tif 000009